(57)【要約】【課題】要求レベルに応じた再生速度変換が可能でないと判定された場合には、映像データの再生速度と音声データの再生速度とが要求レベルより低い所定のレベルに応じた再生速度に変換される再生速度変換装置に関する。【解決手段】要求レベルに応じた再生速度変換が可能でない場合でも、映像データの再生速度と音声データの再生速度とが同じ再生速度に変換される。その結果、映像データの再生が音声データの再生に追いつかなくなることを防止することができる。【選択図】　図１
2004007495.tif 000002
【特許請求の範囲】
【請求項１】
圧縮符号化音声データを復号化することにより、復号化音声データを出力する音声復号化部と、
再生速度の要求レベルを示す第１の再生速度信号に応答して、前記復号化音声データの再生速度を変換する音声再生速度変換部と、
前記第１の再生速度信号に応答して、圧縮符号化映像データの再生速度を変換する映像再生速度変換部と、
前記映像再生速度変換部から出力される前記圧縮符号化映像データを復号化する映像復号化部と
を備え、
前記映像再生速度変換部は、前記要求レベルに応じた再生速度変換が可能か否かを判定し、前記要求レベルに応じた再生速度変換が可能であると判定された場合には、前記要求レベルに応じた再生速度変換を行い、前記要求レベルに応じた再生速度変換が可能でないと判定された場合には、前記要求レベルより低い所定のレベルに応じた再生速度変換を行うとともに、前記所定のレベルを示す第２の再生速度信号を前記音声再生速度変換部に出力し、
前記音声再生速度変換部は、前記映像再生速度変換部から前記第２の再生速度信号を受信した場合には、前記所定のレベルに応じた再生速度変換を行う、再生速度変換装置。
【請求項２】
前記映像再生速度変換部は、前記圧縮符号化映像データの中に特定の映像データが出現する比率が要求レベルに応じて決定されるしきい値より大きいか否かを判定し、その判定結果に応じて前記要求レベルに応じた再生速度変換が可能か否かを判定する、請求項１に記載の再生速度変換装置。
【請求項３】
前記圧縮符号化映像データは、ＭＰＥＧ規格に従う映像データであり、前記特定の映像データは、Ｂ−Ｐｉｃｔｕｒｅである、請求項２に記載の再生速度変換装置。
【請求項４】
前記再生速度変換装置は、前記復号化音声データを再生する時刻を示す音声タイムスタンプと前記復号化映像データを再生する時刻を示す映像タイムスタンプとに応じて、前記復号化音声データを再生するタイミングと前記復号化映像データを再生するタイミングとを同期させる音声映像同期部をさらに備え、
前記音声再生速度変換部は、前記音声再生速度変換部の再生速度を示す信号を前記音声映像同期部に送信し、
前記音声映像同期部は、前記音声タイムスタンプと前記音声再生速度変換部の再生速度を示す前記信号とに応答して、前記圧縮符号化音声データを復号化するタイミングを示す音声復号タイミングデータを生成し、
前記音声映像同期部は、前記映像タイムスタンプと前記音声再生速度変換部の再生速度を示す前記信号とに応答して、前記圧縮符号化映像データを復号化するタイミングを示す映像復号タイミングデータを生成し、
前記音声復号化部は、前記音声復号タイミングデータに応答して、前記圧縮符号化音声データを復号化し、
前記映像復号化部は、前記映像復号タイミングデータに応答して、前記圧縮符号化映像データを復号化する、請求項１に記載の再生速度変換装置。
【請求項５】
前記再生速度変換装置は、前記復号化音声データを再生する時刻を示す音声タイムスタンプと前記復号化映像データを再生する時刻を示す映像タイムスタンプとに応じて、前記復号化音声データを再生するタイミングと前記復号化映像データを再生するタイミングとを同期させる音声映像同期部をさらに備え、
前記映像再生速度変換部は、前記映像再生速度変換部の再生速度を示す信号を前記音声映像同期部に送信し、
前記音声映像同期部は、前記音声タイムスタンプと前記映像再生速度変換部の再生速度を示す前記信号とに応答して、前記圧縮符号化音声データを復号化するタイミングを示す音声復号タイミングデータを生成し、
前記音声映像同期部は、前記映像タイムスタンプと前記映像再生速度変換部の再生速度を示す前記信号とに応答して、前記圧縮符号化映像データを復号化するタイミングを示す映像復号タイミングデータを生成し、
前記音声復号化部は、前記音声復号タイミングデータに応答して、前記圧縮符号化音声データを復号化し、
前記映像復号化部は、前記映像復号タイミングデータに応答して、前記圧縮符号化映像データを復号化する、請求項１に記載の再生速度変換装置。
【請求項６】
前記圧縮符号化音声データと前記圧縮符号化映像データとを格納する格納デバイスと、
前記圧縮符号化音声データと前記圧縮符号化映像データとを前記格納デバイスからロードするデータロード装置と、
をさらに備え、
前記音声再生速度変換部は、前記音声再生速度変換部の再生速度を示す信号を前記データロード装置に送信し、
前記データロード装置は、前記音声再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力する、請求項１に記載の再生速度変換装置。
【請求項７】
前記圧縮符号化音声データと前記圧縮符号化映像データとを格納する格納デバイスと、
前記圧縮符号化音声データと前記圧縮符号化映像データとを前記格納デバイスからロードするデータロード装置と、
をさらに備え、
前記映像再生速度変換部は、前記映像再生速度変換部の再生速度を示す信号を前記データロード装置に送信し、
前記データロード装置は、前記映像再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力する、請求項１に記載の再生速度変換装置。
【請求項８】
前記圧縮符号化音声データと前記圧縮符号化映像データとを格納する格納デバイスと、
前記圧縮符号化音声データと前記圧縮符号化映像データとを前記格納デバイスからロードするデータロード装置と
をさらに備え、
前記音声再生速度変換部は、前記音声再生速度変換部の再生速度を示す信号を前記データロード装置に送信し、
前記データロード装置は、前記音声再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力する、請求項４に記載の再生速度変換装置。
【請求項９】
前記圧縮符号化音声データと前記圧縮符号化映像データとを格納する格納デバイスと、
前記圧縮符号化音声データと前記圧縮符号化映像データとを前記格納デバイスからロードするデータロード装置と
をさらに備え、
前記音声再生速度変換部は、前記音声再生速度変換部の再生速度を示す信号を前記データロード装置に送信し、
前記データロード装置は、前記音声再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力する、請求項５に記載の再生速度変換装置。
【請求項１０】
前記圧縮符号化音声データと前記圧縮符号化映像データとを格納する格納デバイスと、
前記圧縮符号化音声データと前記圧縮符号化映像データとを前記格納デバイスからロードするデータロード装置と
をさらに備え、
前記映像再生速度変換部は、前記映像再生速度変換部の再生速度を示す信号を前記データロード装置に送信し、
前記データロード装置は、前記映像再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力する、請求項４に記載の再生速度変換装置。
【請求項１１】
前記圧縮符号化音声データと前記圧縮符号化映像データとを格納する格納デバイスと、
前記圧縮符号化音声データと前記圧縮符号化映像データとを前記格納デバイスからロードするデータロード装置と
をさらに備え、
前記映像再生速度変換部は、前記映像再生速度変換部の再生速度を示す信号を前記データロード装置に送信し、
前記データロード装置は、前記映像再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力する、請求項５に記載の再生速度変換装置。
【請求項１２】
前記格納デバイスは、前記音声タイムスタンプと前記映像タイムスタンプとをさらに格納し、
前記データロード装置は、前記音声タイムスタンプと前記映像タイムスタンプとを前記格納デバイスからロードし、
前記データロード装置は、前記格納デバイスからロードした前記音声タイムスタンプと前記映像タイムスタンプとを前記音声映像同期部に出力する、請求項８〜１１のいずれかに記載の再生速度変換装置。
【請求項１３】
前記格納デバイスは、記録・再生可能な記録媒体または再生のみ可能な記録媒体である、請求項６〜１１のいずれかに記載の再生速度変換装置。
【発明の詳細な説明】
【０００１】
【発明の属する技術分野】
本発明は、映像データの再生速度と音声データの再生速度とを同じ再生速度に変換する再生速度変換装置に関する。
【０００２】
【従来の技術】
再生速度変換装置は、圧縮符号化音声データの再生速度と圧縮符号化映像データの再生速度とを高速再生速度または、低速再生速度に変換する。圧縮符号化音声データの再生速度と圧縮符号化映像データの再生速度とを高速再生速度または、低速再生速度に変換したとしても、高速再生または低速再生された音声を違和感なく聞き取ることができる。
【０００３】
図５は、従来の再生速度変換装置５００の構成を示す。再生速度変換装置５００は、音声復号化部５０１と、音声再生速度変換部５０２と、映像再生速度変換部５０３と、映像復号化部５０４とを含む。
【０００４】
以下、従来の再生速度変換装置５００が、圧縮符号化音声データの再生速度とＭＰＥＧ規格に従う圧縮符号化映像データの再生速度とを１．２倍速に変換する場合を説明する。
【０００５】
音声復号化部５０１には、圧縮符号化音声データが入力される。
【０００６】
音声復号化部５０１は、例えば、ＤＶＤ−Ｖｉｄｅｏで採用されているドルビーＡＣ３およびｄｔｓ、ＣＳデジタルで採用されているＭＰＥＧ１−ｌａｙｅｒＩＩ、ＢＳデジタルで採用されているＭＰＥＧ２−ＡＡＣ、ＤＶＤ−Ａｕｄｉｏで採用されているＭＬＰならびにインターネット上で普及しているＭＰ３（ＭＰＥＧ１−ｌａｙｅｒＩＩＩ）である。
音声復号化部５０１は、この圧縮符号化音声データを復号化することにより、復号化音声データを出力する。音声再生速度変換部５０２は、この復号化音声データの繰り返し波形部分を間引くことによって、この復号化音声データの再生速度を１．２倍速の再生速度に変換する。
【０００７】
映像再生速度変換部５０３には、ＭＰＥＧ規格に従う圧縮符号化映像データが入力される。この圧縮符号化映像データには、ＭＰＥＧ規格に従う差分映像データであるＢ−Ｐｉｃｔｕｒｅが含まれている。映像再生速度変換部５０３は、Ｂ−Ｐｉｃｔｕｒｅを間引くことによって、この圧縮符号化映像データの再生速度を１．２倍速の再生速度に変換する。
【０００８】
映像復号化部５０４は、この圧縮符号化映像データを復号化することにより、復号化映像データを出力する。
【０００９】
映像復号化部５０４は、例えば、ＭＰＥＧ１、ＭＰＥＧ２、ＭＰＥＧ４などである。
【００１０】
なお、圧縮符号化音声データと圧縮符号化映像データとは、データロード装置によって格納デバイスからロードされ得る。
【００１１】
図６は、従来の他の再生速度変換装置６００の構成を示す。再生速度変換装置６００の構成は、再生速度変換装置６００が格納デバイス６０６と、データロード装置６０７とをさらに含むことを除いて従来の再生速度変換装置５００の構成と同一である。
【００１２】
格納デバイス６０６には、圧縮符号化音声データとＭＰＥＧ規格に従う圧縮符号化映像データとが格納されている。データロード装置６０７は、この圧縮符号化音声データとこの圧縮符号化映像データとを格納デバイス６０６からロードする。
【００１３】
音声復号化部６０１には、格納デバイス６０６からロードされた圧縮符号化音声データが入力される。
【００１４】
映像再生速度変換部６０３には、格納デバイス６０６からロードされたＭＰＥＧ規格に従う圧縮符号化映像データが入力される。
【００１５】
データロード装置６０７には、映像再生速度変換部６０３の１．２倍速の再生速度を示す信号が映像再生速度変換部６０３から送信される。データロード装置６０７は、復号化音声データの再生速度と圧縮符号化映像データの再生速度とが１．２倍速に変換されたとしてもデータロード装置６０７から出力される圧縮符号化音声データと圧縮符号化映像データとが過不足することのないように、この信号に応じて、圧縮符号化音声データと圧縮符号化映像データとを格納デバイス６０６からロードする。
【００１６】
図７は、従来の他の再生速度変換装置７００の構成を示す。再生速度変換装置７００は、音声復号化部７０１と、音声再生速度変換部７０２と、映像再生速度変換部７０３と、映像復号化部７０４と、音声映像同期部７０５とを含む。
【００１７】
以下、従来の他の再生速度変換装置７００が、圧縮符号化音声データの再生速度とＭＰＥＧ規格に従う圧縮符号化映像データの再生速度とを１．２倍速に変換する場合を説明する。
【００１８】
音声復号化部７０１には、圧縮符号化音声データが入力される。音声復号化部７０１は、この圧縮符号化音声データを圧縮符号化音声データを復号化するタイミングを示す音声復号タイミングデータに応答して復号化することにより、復号化音声データを出力する。この音声復号タイミングデータは、音声映像同期部７０５から出力される。
【００１９】
音声再生速度変換部７０２は、この復号化音声データの繰り返し波形部分を間引くことによって、この復号化音声データの再生速度を１．２倍速の再生速度に変換する。
【００２０】
映像再生速度変換部７０３には、ＭＰＥＧ規格に従う圧縮符号化映像データが入力される。この圧縮符号化映像データには、ＭＰＥＧ規格に従う差分映像データであるＢ−Ｐｉｃｔｕｒｅが含まれている。映像再生速度変換部７０３は、Ｂ−Ｐｉｃｔｕｒｅを間引くことによって、この圧縮符号化映像データの再生速度を１．２倍速の再生速度に変換する。
【００２１】
映像復号化部７０４は、この圧縮符号化映像データを圧縮符号化映像データを復号化するタイミングを示す映像復号タイミングデータに応答して復号化することにより、復号化映像データを出力する。この映像復号タイミングデータは、音声映像同期部７０５から出力される。
【００２２】
音声映像同期部７０５には、復号化音声データを再生する時刻を示す音声タイムスタンプと復号化映像データを再生する時刻を示す映像タイムスタンプとが入力される。
【００２３】
音声映像同期部７０５は、この音声タイムスタンプとこの映像タイムスタンプとに応じて、復号化映像データを再生するタイミングと復号化音声データを再生するタイミングとを同期させる。
【００２４】
音声映像同期部７０５は、音声タイムスタンプに応答して、音声復号タイミングデータを生成する。既に説明したように、音声復号化部７０１は、この音声復号タイミングデータに応答して圧縮符号化音声データを復号化する。
【００２５】
音声映像同期部７０５は、映像タイムスタンプに応答して、映像復号タイミングデータを生成する。既に説明したように、映像復号化部７０４は、この映像復号タイミングデータに応答して圧縮符号化映像データを復号化する。
【００２６】
なお、圧縮符号化音声データと圧縮符号化映像データとは、データロード装置によって格納デバイスからロードされ得る。
【００２７】
図８は、従来の他の再生速度変換装置８００の構成を示す。再生速度変換装置８００の構成は、再生速度変換装置８００が、格納デバイス８０６と、データロード装置８０７とをさらに含むことを除いて従来の他の再生速度変換装置７００の構成と同一である。
【００２８】
格納デバイス８０６には、圧縮符号化音声データとＭＰＥＧ規格に従う圧縮符号化映像データと音声タイムスタンプと映像タイムスタンプとが格納されている。データロード装置８０７は、この圧縮符号化音声データとこの圧縮符号化映像データと音声タイムスタンプと映像タイムスタンプとを格納デバイス８０６からロードする。
【００２９】
音声復号化部８０１には、格納デバイス８０６からロードされた圧縮符号化音声データが入力される。
【００３０】
映像再生速度変換部８０３には、格納デバイス８０６からロードされたＭＰＥＧ規格に従う圧縮符号化映像データが入力される。
【００３１】
音声映像同期部８０５には、格納デバイス８０６からロードされた音声タイムスタンプと映像タイムスタンプとが入力される。
【００３２】
データロード装置８０７には、音声再生速度変換部８０２の１．２倍速の再生速度を示す信号が音声再生速度変換部８０２から送信される。データロード装置８０７は、復号化音声データの再生速度と圧縮符号化映像データの再生速度とが１．２倍速に変換されたとしてもデータロード装置８０７から出力される圧縮符号化音声データと圧縮符号化映像データと音声タイムスタンプと映像タイムスタンプとが過不足することのないように、この信号に応じて、圧縮符号化音声データと圧縮符号化映像データと音声タイムスタンプと映像タイムスタンプとを格納デバイス８０６からロードする。
【００３３】
格納デバイス６０６と格納デバイス８０６とは、例えば、ハードディスクである。音声データと映像データとを記録再生装置に内蔵されたハードディスクに記録する場合、音声データと映像データとを符号化し、圧縮符号化音声データと圧縮符号化映像データとをハードディスクに記録する。この記録された圧縮符号化音声データと圧縮符号化映像データとをこの記録再生装置のみで再生する場合、この圧縮符号化音声データと圧縮符号化映像データとをハードディスクに記録する方式として、独自仕様の方式を採用することができる。例えば、Ｂ−Ｐｉｃｔｕｒｅを任意の割合で含んだ圧縮符号化映像データをハードディスクに記録する方式を採用することができる。例えば、シーン変動の激しい場面はハードディスクに記録するデータ量を多くし、シーン変動の激しくない場面はハードディスクに記録するデータ量を少なくするような、ＭＰＥＧ規格に独自技術を加えた記録方式を採用することができる。
【００３４】
このように、従来は、音声データと映像データとを記録する記録再生装置と音声データと映像データとを再生する記録再生装置とが同一であることを前提としていたため、この記録再生装置に備えられた再生速度変換装置５００、６００、７００および８００は、音声データの再生速度と映像データの再生速度とを同一の再生速度に変換することができた。
【００３５】
【発明が解決しようとする課題】
しかしながら、従来の再生速度変換装置５００、６００、７００および８００は、予めオーサリングされた記録媒体（例えば、ＤＶＤ−Ｖｉｄｅｏ）や他の記録装置で記録される可能性のある記録媒体（例えば、ＤＶＤ−ＲＡＭ）に記録された音声データの再生速度と映像データの再生速度とを同一の再生速度に変換できないことがある。例えば、映像データのＭＰＥＧ規格は再生速度の自由度が大きいので、Ａ社製の記録装置で記録した映像データをＢ社製の再生装置で再生できるとは限らないからである。
【００３６】
具体的な事例としては、Ｂ−Ｐｉｃｔｕｒｅを間引くことによって映像データの再生速度を要求レベルに応じた再生速度に変換する場合、Ｂ−Ｐｉｃｔｕｒｅが出現する比率が要求レベルを満たさなければ、映像データの再生速度を要求レベルに応じた再生速度に変換できない、といったことが挙げられる。
【００３７】
本発明は、上記問題点に鑑みてなされたものであり、要求レベルに応じた再生速度変換が可能でないと判定された場合には、映像データの再生速度と音声データの再生速度とが要求レベルより低い所定のレベルに応じた再生速度に変換される再生速度変換装置を提供することを目的とする。
【００３８】
【課題を解決するための手段】
本発明による再生速度変換装置は、圧縮符号化音声データを復号化することにより、復号化音声データを出力する音声復号化部と、再生速度の要求レベルを示す第１の再生速度信号に応答して、前記復号化音声データの再生速度を変換する音声再生速度変換部と、前記第１の再生速度信号に応答して、圧縮符号化映像データの再生速度を変換する映像再生速度変換部と、前記映像再生速度変換部から出力される前記圧縮符号化映像データを復号化する映像復号化部とを備え、前記映像再生速度変換部は、前記要求レベルに応じた再生速度変換が可能か否かを判定し、前記要求レベルに応じた再生速度変換が可能であると判定された場合には、前記要求レベルに応じた再生速度変換を行い、前記要求レベルに応じた再生速度変換が可能でないと判定された場合には、前記要求レベルより低い所定のレベルに応じた再生速度変換を行うとともに、前記所定のレベルを示す第２の再生速度信号を前記音声再生速度変換部に出力し、前記音声再生速度変換部は、前記映像再生速度変換部から前記第２の再生速度信号を受信した場合には、前記所定のレベルに応じた再生速度変換を行う。これにより上記目的が達成される。
【００３９】
前記映像再生速度変換部は、前記圧縮符号化映像データの中に特定の映像データが出現する比率が要求レベルに応じて決定されるしきい値より大きいか否かを判定し、その判定結果に応じて前記要求レベルに応じた再生速度変換が可能か否かを判定してもよい。
【００４０】
前記圧縮符号化映像データは、ＭＰＥＧ規格に従う映像データであり、前記特定の映像データは、Ｂ−Ｐｉｃｔｕｒｅでもよい。
【００４１】
前記再生速度変換装置は、前記復号化音声データを再生する時刻を示す音声タイムスタンプと前記復号化映像データを再生する時刻を示す映像タイムスタンプとに応じて、前記復号化音声データを再生するタイミングと前記復号化映像データを再生するタイミングとを同期させる音声映像同期部をさらに備え、前記音声再生速度変換部は、前記音声再生速度変換部の再生速度を示す信号を前記音声映像同期部に送信し、前記音声映像同期部は、前記音声タイムスタンプと前記音声再生速度変換部の再生速度を示す前記信号とに応答して、前記圧縮符号化音声データを復号化するタイミングを示す音声復号タイミングデータを生成し、前記音声映像同期部は、前記映像タイムスタンプと前記音声再生速度変換部の再生速度を示す前記信号とに応答して、前記圧縮符号化映像データを復号化するタイミングを示す映像復号タイミングデータを生成し、前記音声復号化部は、前記音声復号タイミングデータに応答して、前記圧縮符号化音声データを復号化し、前記映像復号化部は、前記映像復号タイミングデータに応答して、前記圧縮符号化映像データを復号化してもよい。
【００４２】
前記再生速度変換装置は、前記復号化音声データを再生する時刻を示す音声タイムスタンプと前記復号化映像データを再生する時刻を示す映像タイムスタンプとに応じて、前記復号化音声データを再生するタイミングと前記復号化映像データを再生するタイミングとを同期させる音声映像同期部をさらに備え、前記映像再生速度変換部は、前記映像再生速度変換部の再生速度を示す信号を前記音声映像同期部に送信し、前記音声映像同期部は、前記音声タイムスタンプと前記映像再生速度変換部の再生速度を示す前記信号とに応答して、前記圧縮符号化音声データを復号化するタイミングを示す音声復号タイミングデータを生成し、前記音声映像同期部は、前記映像タイムスタンプと前記映像再生速度変換部の再生速度を示す前記信号とに応答して、前記圧縮符号化映像データを復号化するタイミングを示す映像復号タイミングデータを生成し、前記音声復号化部は、前記音声復号タイミングデータに応答して、前記圧縮符号化音声データを復号化し、前記映像復号化部は、前記映像復号タイミングデータに応答して、前記圧縮符号化映像データを復号化してもよい。
【００４３】
前記圧縮符号化音声データと前記圧縮符号化映像データとを格納する格納デバイスと、前記圧縮符号化音声データと前記圧縮符号化映像データとを前記格納デバイスからロードするデータロード装置とをさらに備え、前記音声再生速度変換部は、前記音声再生速度変換部の再生速度を示す信号を前記データロード装置に送信し、前記データロード装置は、前記音声再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力してもよい。
【００４４】
前記圧縮符号化音声データと前記圧縮符号化映像データとを格納する格納デバイスと前記圧縮符号化音声データと前記圧縮符号化映像データとを前記格納デバイスからロードするデータロード装置とをさらに備え、前記映像再生速度変換部は、前記映像再生速度変換部の再生速度を示す信号を前記データロード装置に送信し、前記データロード装置は、前記映像再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力してもよい。
【００４５】
前記圧縮符号化音声データと前記圧縮符号化映像データとを格納する格納デバイスと、前記圧縮符号化音声データと前記圧縮符号化映像データとを前記格納デバイスからロードするデータロード装置とをさらに備え、前記音声再生速度変換部は、前記音声再生速度変換部の再生速度を示す信号を前記データロード装置に送信し、前記データロード装置は、前記音声再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力してもよい。
【００４６】
前記圧縮符号化音声データと前記圧縮符号化映像データとを格納する格納デバイスと、前記圧縮符号化音声データと前記圧縮符号化映像データとを前記格納デバイスからロードするデータロード装置とをさらに備え、前記音声再生速度変換部は、前記音声再生速度変換部の再生速度を示す信号を前記データロード装置に送信し、前記データロード装置は、前記音声再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力してもよい。
【００４７】
前記圧縮符号化音声データと前記圧縮符号化映像データとを格納する格納デバイスと、前記圧縮符号化音声データと前記圧縮符号化映像データとを前記格納デバイスからロードするデータロード装置とをさらに備え、前記映像再生速度変換部は、前記映像再生速度変換部の再生速度を示す信号を前記データロード装置に送信し、前記データロード装置は、前記映像再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力してもよい。
【００４８】
前記圧縮符号化音声データと前記圧縮符号化映像データとを格納する格納デバイスと、前記圧縮符号化音声データと前記圧縮符号化映像データとを前記格納デバイスからロードするデータロード装置とをさらに備え、前記映像再生速度変換部は、前記映像再生速度変換部の再生速度を示す信号を前記データロード装置に送信し、前記データロード装置は、前記映像再生速度変換部から送信された前記信号に応じて、前記格納デバイスからロードした前記圧縮符号化音声データを前記音声復号化部に出力し、前記格納デバイスからロードした前記圧縮符号化映像データを前記映像再生速度変換部に出力してもよい。
【００４９】
前記格納デバイスは、前記音声タイムスタンプと前記映像タイムスタンプとをさらに格納し、前記データロード装置は、前記音声タイムスタンプと前記映像タイムスタンプとを前記格納デバイスからロードし、前記データロード装置は、前記格納デバイスからロードした前記音声タイムスタンプと前記映像タイムスタンプとを前記音声映像同期部に出力してもよい。
【００５０】
前記格納デバイスは、記録・再生可能な記録媒体または再生のみ可能な記録媒体でもよい。
【００５１】
【発明の実施の形態】
以下、図１から図４を参照して本発明の実施の形態を説明する。
【００５２】
（実施の形態１）
図１は、本発明の実施の形態１の再生速度変換装置１００の構成を示す。再生速度変換装置１００は、音声復号化部１０１と、音声再生速度変換部１０２と、映像再生速度変換部１０３と、映像復号化部１０４とを含む。
【００５３】
再生速度変換装置１００は、圧縮符号化音声データの再生速度と圧縮符号化映像データの再生速度とを同じ再生速度に変換する。圧縮符号化音声データは、例えば、ＤＶＤ−Ｖｉｄｅｏで採用されているドルビーＡＣ３およびｄｔｓ、ＣＳデジタルで採用されているＭＰＥＧ１−ｌａｙｅｒＩＩ、ＢＳデジタルで採用されているＭＰＥＧ２−ＡＡＣ、ＤＶＤ−Ａｕｄｉｏで採用されているＭＬＰならびにインターネット上で普及しているＭＰ３（ＭＰＥＧ１−ｌａｙｅｒＩＩＩ）などの方式で圧縮符号化された音声データである。圧縮符号化映像データは、例えばＭＰＥＧ規格（ＭＰＥＧ１、ＭＰＥＧ２、ＭＰＥＧ４）に従う圧縮符号化映像データである。
【００５４】
以下、再生速度変換装置１００が、圧縮符号化音声データの再生速度とＭＰＥＧ規格に従う圧縮符号化映像データの再生速度とを同じ再生速度に変換する場合を説明する。
【００５５】
音声復号化部１０１には、圧縮符号化音声データが入力される。音声復号化部１０１は、この圧縮符号化音声データを復号化することにより、復号化音声データを音声再生速度変換部１０２に出力する。
【００５６】
音声再生速度変換部１０２には、音声復号化部１０１から出力された復号化音声データが入力される。ユーザがＮ１倍速の再生速度を要求する場合、ユーザが要求したＮ１倍速の再生速度の要求レベルを示す再生速度信号（第１の再生速度信号）が音声再生速度変換部１０２に入力される。
【００５７】
例えば、ユーザは、再生速度変換装置１００の外部に備えられたリモコン（図示せず）によって、Ｎ１倍速の再生速度の要求レベルを示す再生速度信号（第１の再生速度信号）を生成する。ユーザは、このリモコンを操作することによって、この再生速度信号を音声再生速度変換部１０２に入力させる。
【００５８】
例えば、ユーザは、再生速度変換装置１００に備えられたボタン（図示せず）をプッシュすることによって、Ｎ１倍速の再生速度の要求レベルを示す再生速度信号（第１の再生速度信号）を選択する。ユーザは、このボタンをさらにプッシュすることによって、この再生速度信号を音声再生速度変換部１０２に入力させてもよい。
【００５９】
音声再生速度変換部１０２は、この再生速度信号に応答して、この復号化音声データの再生速度をＮ１倍速の再生速度に変換する。
【００６０】
音声再生速度変換部１０２は、例えば、Ｐｏｉｎｔｅｒ　Ｉｎｔｅｒｖａｌ　Ｃｏｎｔｒｏｌｅｄ　ＯｖｅｒＬａｐ　ａｎｄ　Ａｄｄ（ＰＩＣＯＬＡ）方式を用いて、音声データの再生速度を変換する。ＰＩＣＯＬＡ方式は、音声データの繰り返し波形部分を間引くことによって、音声データを圧縮する方式である。
【００６１】
音声再生速度変換部１０２は、音声再生速度変換部１０２のＮ１倍速の再生速度を示す信号を音声復号化部１０１に出力する。音声再生速度変換部１０２は、Ｎ１倍速の再生速度を有する復号化音声データを出力する。
【００６２】
音声再生速度変換部１０２は、ＰＩＣＯＬＡ方式の代わりに、ＯｖｅｒＬａｐａｎｄ　Ａｄｄ（ＯＬＡ）方式またはＳｙｎｃｈｒｏｎｉｚｅｄ　ＯｖｅｒＬａｐ　ａｎｄ　Ａｄｄ（ＳＯＬＡ）方式を用いて、音声データの再生速度を変換してもよい。
【００６３】
ＯＬＡ方式は、一定の時間間隔で互いに隣接するフレームデータをクロスフェードすることによって、音声データを圧縮・伸張する方式である。
【００６４】
ＳＯＬＡ方式は、一定の時間間隔で互いに隣接するフレームデータ間の相関を計算し、互いに隣接するフレームデータを最も相関の大きい部分にずらしてクロスフェードすることによって、高音質に音声データを圧縮・伸張する方式である。
【００６５】
映像再生速度変換部１０３には、ＭＰＥＧ規格に従う圧縮符号化映像データが入力される。この圧縮符号化映像データには、特定の映像データが含まれている。この特定の映像データは、例えば、ＭＰＥＧ規格に従う差分映像データであるＢ−Ｐｉｃｔｕｒｅである。映像再生速度変換部１０３は、Ｂ−Ｐｉｃｔｕｒｅを間引くことによって、この圧縮符号化映像データの再生速度を変換する。
【００６６】
映像再生速度変換部１０３は、変換された再生速度を有する圧縮符号化映像データを映像復号化部１０４に出力する。
【００６７】
映像再生速度変換部１０３の詳細な機能は、後述する。
【００６８】
映像復号化部１０４は、この圧縮符号化映像データを復号化し、復号化音声データを出力する。
【００６９】
映像再生速度変換部１０３は、映像データを復号化する前にＢ−Ｐｉｃｔｕｒｅを間引く。映像データを復号化した後にＢ−Ｐｉｃｔｕｒｅを間引くよりも、間引くデータの量を削減できるからである。
【００７０】
以下、映像再生速度変換部１０３の詳細な機能を説明する。
【００７１】
映像再生速度変換部１０３には、ユーザが要求したＮ１倍速の再生速度の要求レベルを示す再生速度信号（第１の再生速度信号）が入力される。
【００７２】
この再生速度の要求レベルを示す再生速度信号は、音声再生速度変換部１０２と映像再生速度変換部１０３とに入力される。この再生速度信号は、音声再生速度変換部１０２と映像再生速度変換部１０３とに個別に入力されてもよい。また、音声再生速度変換部１０２に入力された再生速度信号を音声再生速度変換部１０２から映像再生速度変換部１０３に転送してもよい。
【００７３】
映像再生速度変換部１０３は、圧縮符号化映像データを要求レベルに応じたＮ１倍速の再生速度に変換可能（ＹＥＳ）か否（ＮＯ）かを判定する。
【００７４】
映像再生速度変換部１０３が行う変換可能（ＹＥＳ）か否（ＮＯ）かの判定は、圧縮符号化映像データの中にＢ−Ｐｉｃｔｕｒｅが出現する比率が要求レベルに応じて決定されるしきい値より大きいか否かによって行われる。
【００７５】
以下、映像再生速度変換部１０３が、Ｎ１倍速の再生速度に対してしきい値Ｃ１を有する場合を説明する。
【００７６】
映像再生速度変換部１０３に入力される圧縮符号化映像データの中にＢ−Ｐｉｃｔｕｒｅが出現する比率がしきい値Ｃ１より大きいまたは同じである場合、映像再生速度変換部１０３の判定は変換可能（ＹＥＳ）である。映像再生速度変換部１０３は、Ｂ−Ｐｉｃｔｕｒｅを間引くことによって、この圧縮符号化映像データの再生速度をＮ１倍速の再生速度に変換する。
【００７７】
映像再生速度変換部１０３に入力される圧縮符号化映像データの中にＢ−Ｐｉｃｔｕｒｅが出現する比率がしきい値Ｃ１より小さい場合、映像再生速度変換部１０３の判定は変換不可（ＮＯ）である。この場合、映像再生速度変換部１０３は、Ｂ−Ｐｉｃｔｕｒｅを間引くことによって、この圧縮符号化映像データの再生速度を要求レベルより低い所定のレベルに応じたＮ２倍速の再生速度に変換する。さらに、映像再生速度変換部１０３は、この所定のレベルを示す再生速度信号（第２の再生速度信号）を音声再生速度変換部１０２に出力する。音声再生速度変換部１０２は、要求レベルを示す再生速度信号（第１の再生速度信号）を無視して、映像再生速度変換部１０３から出力された所定のレベルを示す再生速度信号（第２の再生速度信号）に従うと共に、音声再生速度変換部１０２の再生速度を示す信号を音声復号化部１０１に出力する。
【００７８】
以上、映像再生速度変換部１０３が、Ｎ１倍速の再生倍速に対してしきい値Ｃ１を有する場合を説明した。例えば、Ｎ１＝１．４である。Ｎ２＝１．２である。しかし、再生倍速の値はこれらに限定されない。再生倍速の値がＮ１＞Ｎ２を満たしさえすれば、再生倍速の値およびしきい値は任意である。
【００７９】
映像再生速度変換部１０３が、複数の要求レベルに応じた再生速度に対して複数のしきい値Ｃを有してもよい。
【００８０】
以下、映像再生速度変換部１０３が、Ｎ１倍速の再生倍速に対してしきい値Ｃ１を有し、Ｎ２倍速の再生倍速に対してしきい値Ｃ２を有し、Ｎ３倍速の再生倍速に対してしきい値Ｃ３を有する場合を説明する。
【００８１】
映像再生速度変換部１０３に入力される圧縮符号化映像データの中にＢ−Ｐｉｃｔｕｒｅが出現する比率がしきい値Ｃ１より大きいまたは同じである場合、映像再生速度変換部１０３の判定は変換可能（ＹＥＳ）である。映像再生速度変換部１０３は、Ｂ−Ｐｉｃｔｕｒｅを間引くことによって、この圧縮符号化映像データの再生速度をＮ１倍速の再生速度に変換する。
【００８２】
映像再生速度変換部１０３に入力される圧縮符号化映像データの中にＢ−Ｐｉｃｔｕｒｅが出現する比率がしきい値Ｃ１より小さい場合、映像再生速度変換部１０３の判定は変換不可（ＮＯ）である。
【００８３】
映像再生速度変換部１０３に入力される圧縮符号化映像データの中にＢ−Ｐｉｃｔｕｒｅが出現する比率がしきい値Ｃ１より小さい場合、映像再生速度変換部１０３は、圧縮符号化映像データの中にＢ−Ｐｉｃｔｕｒｅが出現する比率がしきい値Ｃ２より大きいか否かを判定する。映像再生速度変換部１０３に入力される圧縮符号化映像データの中にＢ−Ｐｉｃｔｕｒｅが出現する比率がしきい値Ｃ２より大きいまたは同じである場合、映像再生速度変換部１０３の判定は変換可能（ＹＥＳ）である。映像再生速度変換部１０３は、Ｂ−Ｐｉｃｔｕｒｅを間引くことによって、この圧縮符号化映像データの再生速度をＮ２倍速の再生速度に変換する。
【００８４】
映像再生速度変換部１０３に入力される圧縮符号化映像データの中にＢ−Ｐｉｃｔｕｒｅが出現する比率がしきい値Ｃ２より小さい場合、映像再生速度変換部１０３の判定は変換不可（ＮＯ）である。
【００８５】
映像再生速度変換部１０３に入力される圧縮符号化映像データの中にＢ−Ｐｉｃｔｕｒｅが出現する比率がしきい値Ｃ２より小さい場合、映像再生速度変換部１０３は、圧縮符号化映像データの中にＢ−Ｐｉｃｔｕｒｅが出現する比率がしきい値Ｃ３より大きいか否かを判定する。映像再生速度変換部１０３に入力される圧縮符号化映像データの中にＢ−Ｐｉｃｔｕｒｅが出現する比率がしきい値Ｃ３より大きいまたは同じである場合、映像再生速度変換部１０３の判定は変換可能（ＹＥＳ）である。映像再生速度変換部１０３は、Ｂ−Ｐｉｃｔｕｒｅを間引くことによって、この圧縮符号化映像データの再生速度をＮ３倍速の再生速度に変換する。
【００８６】
このように、映像再生速度変換部１０３は、圧縮符号化映像データの再生速度を要求レベルに応じた再生速度に変換できない場合に、その要求レベルよりも低い要求レベルに応じた再生速度に変換が可能か否かを判定する。もし変換不可（ＮＯ）であれば、映像再生速度変換部１０３は、圧縮符号化映像データの再生速度をさらに低い要求レベルに応じた再生速度に変換が可能か否かを判定する。映像再生速度変換部１０３は、圧縮符号化映像データの再生速度を最初の要求レベルに少しでも近い次善の要求レベルに応じた再生速度に変換する。
【００８７】
以上、映像再生速度変換部１０３が、Ｎ１倍速の再生倍速に対してしきい値Ｃ１を有し、Ｎ２倍速の再生倍速に対してしきい値Ｃ２を有し、Ｎ３倍速の再生倍速に対してしきい値Ｃ３を有する場合を説明した。例えば、Ｎ１＝１．４である。Ｎ２＝１．２である。Ｎ３＝１．０である。しかし、再生倍速の値はこれらに限定されない。再生倍速の値がＮ１＞Ｎ２＞Ｎ３を満たし、しきい値がＣ１＞Ｃ２＞Ｃ３を満たしさえすれば、再生倍速の値およびしきい値は任意である。さらに、再生倍速の値は３つに限定されない。再生倍速の値がＮ１＞・・・＞Ｎｍを満たし、しきい値がＣ１＞・・・＞Ｃｍを満たしさえすれば、ｍは２以上の任意の整数である。
【００８８】
以上、映像再生速度変換部１０３の詳細な機能を説明した。
【００８９】
実施の形態１では、映像再生速度変換部１０３がＢ−Ｐｉｃｔｕｒｅを間引くことによって映像データの再生速度を変換する場合を説明した。
【００９０】
但し、間引かれる映像データは、将来の映像データと過去の映像データの双方向のデータから予測し作成される映像データであれば、Ｂ−Ｐｉｃｔｕｒｅに限らない。
【００９１】
また、過去の映像データのみから予測し作成される映像データを間引いてもよい。例えば、この映像データはＰ−Ｐｉｃｔｕｒｅである。
【００９２】
本発明は、将来の映像データと過去の映像データの双方向のデータから予測し作成される映像データや過去の映像データのみから予測し作成される映像データのような、時間軸方向の圧縮映像データの種類全てを間引かれる映像データとして想定している。
【００９３】
再生速度変換装置１００は、Ｂ−Ｐｉｃｔｕｒｅが出現する比率がしきい値より大きいか否かの判定を行わないような機能を追加することで、再生速度を変換可能か否かの判定の対象とされないデータの再生速度を要求レベルに応じた再生速度に変換してもよい。
【００９４】
例えば、ＤＶＤ−Ｖｉｄｅｏの音声つきスライドショーでは、入力されるデータにＢ−ＰｉｃｔｕｒｅやＰ−Ｐｉｃｔｕｒｅが含まれない。しかし、再生速度変換装置が、ＤＶＤ−Ｖｉｄｅｏの音声つきスライドショーが再生されていることを感知する機能を有する場合は、例えば、Ｂ−Ｐｉｃｔｕｒｅが出現する比率がしきい値より大きいか否かの判定を行わないような機能を駆動させることによって、入力されるデータの再生速度を要求レベルに応じた再生速度に変換する。また入力されるデータに映像データが含まれず、音声データのみが含まれている場合も、例えば、同様の機能を駆動させることによって、入力されるデータの再生速度を要求レベルに応じた再生速度に変換する。
【００９５】
また、要求レベルに応じた再生速度の変換が可能でないと判定した後に、所定のレベルに応じた再生速度に変換した場合でも、映像再生速度変換部は、継続的に圧縮符号化映像データの中にＢ−Ｐｉｃｔｕｒｅが出現する比率を判定してもよい。このように、継続的に出現比率を判定することで、出現比率がしきい値を超え、要求レベルに応じた再生速度の変換が可能であると判定した後に、再び要求レベルに応じた再生速度に変換できる。
【００９６】
またさらに、要求レベルに応じた再生速度と所定のレベルに応じた再生速度との間の遷移を所定の回数繰り返した場合には、所定のレベルに応じた再生速度変換のみを実施するようにしてもよい。
【００９７】
以上のように、本発明の再生速度変換装置によれば、要求レベルに応じた再生速度変換が可能でないと判定された場合には、映像データの再生速度と音声データの再生速度とが要求レベルより低い所定のレベルに応じた再生速度に変換される。これにより、要求レベルに応じた再生速度変換が可能でない場合でも、映像データの再生速度と音声データの再生速度とが同じ再生速度に変換される。その結果、映像データの再生が音声データの再生に追いつかなくなることを防止することができる。
【００９８】
以上、再生速度変換装置１００が、圧縮符号化音声データの再生速度とＭＰＥＧ規格に従う圧縮符号化映像データの再生速度とを同じ再生速度に変換する場合を説明した。
【００９９】
なお、圧縮符号化音声データと圧縮符号化映像データとは、データロード装置によって格納デバイスからロードされ得る。
【０１００】
図２は、再生速度変換装置２００の構成を示す。再生速度変換装置２００の構成は、再生速度変換装置２００が、格納デバイス２０６と、データロード装置２０７とをさらに含むことを除いて再生速度変換装置１００の構成と同一である。
【０１０１】
格納デバイス２０６には、圧縮符号化音声データとＭＰＥＧ規格に従う圧縮符号化映像データとが格納されている。データロード装置２０７は、この圧縮符号化音声データとこの圧縮符号化映像データとを格納デバイス２０６からロードする。
【０１０２】
音声復号化部２０１には、格納デバイス２０６からロードされた圧縮符号化音声データが入力される。
【０１０３】
映像再生速度変換部２０３には、格納デバイス２０６からロードされたＭＰＥＧ規格に従う圧縮符号化映像データが入力される。この圧縮符号化映像データには特定の映像データが含まれている。この特定の映像データは、例えば、ＭＰＥＧ規格に従う差分映像データであるＢ−Ｐｉｃｔｕｒｅである。
【０１０４】
音声復号化部２０１の機能は、音声復号化部１０１の機能と同一である。映像復号化部２０４の機能は、映像復号化部１０４の機能と同一である。音声再生速度変換部２０２の機能は、音声再生速度変換部２０２の再生速度を示す信号をデータロード装置２０７に送信することを除いて、音声再生速度変換部１０２と同一である。映像再生速度変換部２０３の機能は、映像再生速度変換部２０３の再生速度を示す信号をデータロード装置２０７に送信することを除いて、映像再生速度変換部１０３と同一である。
【０１０５】
データロード装置２０７には、映像再生速度変換部２０３から映像再生速度変換部２０３の再生速度を示す信号が送信される。データロード装置２０７は、復号化音声データの再生速度と圧縮符号化映像データの再生速度とを変換してもデータロード装置２０７から出力される圧縮符号化音声データと圧縮符号化映像データとが過不足することのないように、この信号に応じて、圧縮符号化音声データと圧縮符号化映像データとを格納デバイス２０６からロードする。
【０１０６】
なお、データロード装置２０７には、上述のように映像再生速度変換部２０３から映像再生速度変換部２０３の再生速度を示す信号が送信される代わりに、音声再生速度変換部２０２から音声再生速度変換部２０２の再生速度を示す信号が送信されてもよい。この場合も、データロード装置２０７は、データロード装置２０７から出力される圧縮符号化音声データと圧縮符号化映像データとが過不足することのないように、音声再生速度変換部２０２の再生速度を示す信号に応じて、圧縮符号化音声データと圧縮符号化映像データとを格納デバイス２０６からロードする。
【０１０７】
以上のように、本発明の再生速度変換装置によれば、データロード装置は、データロード装置から出力される圧縮符号化音声データと圧縮符号化映像データとが過不足することのないように、圧縮符号化音声データと圧縮符号化映像データとを格納デバイスからロードする。その結果、要求レベルに応じた再生速度から低い所定のレベルに応じた再生速度へと再生速度が遷移する場合でも、データロード装置から出力される圧縮符号化音声データと圧縮符号化映像データとが過不足することなく、データロード装置は、圧縮符号化音声データと圧縮符号化映像データとを格納デバイスからロードすることができる。
【０１０８】
なお、音声復号化部２０１、映像再生速度変換部２０３と、データロード装置２０７との間にネットワークが介在していてもよい。その場合、格納デバイス２０６は、例えば、送信局側のサーバの蓄積メディアである。
【０１０９】
図２の再生速度変換装置２００は、送信局側にあってもよい。
【０１１０】
格納デバイス２０６は、例えば、記録再生が可能な記録媒体、または再生のみ可能な記録媒体である。
【０１１１】
記録再生が可能な記録媒体は、例えば、ＣＤ−Ｒ、ＣＤ−ＲＷ、ＤＶＤ−ＲＡＭ、ＤＶＤ−Ｒ、ＤＶＤ−ＲＷ、ＤＶＤ＋ＲまたはＤＶＤ＋ＲＷである。
【０１１２】
再生のみ可能な記録媒体は、例えば、ＤＶＤ−ＶｉｄｅｏまたはＣＤである。
【０１１３】
なお、データロード装置２０７は、デマルチプレクサを含んでもよい。圧縮符号化音声データと圧縮符号化映像データとが多重化された多重化データが格納デバイス２０６に格納されている場合、このデマルチプレクサは、この多重化データを圧縮符号化音声データと圧縮符号化映像データとに分離する。データロード装置２０７はこの圧縮符号化音声データを音声復号化部２０１に出力する。データロード装置２０７はこの圧縮符号化映像データを映像再生速度変換部２０３に出力する。
【０１１４】
（実施の形態２）
図３は、本発明の実施の形態２の再生速度変換装置３００の構成を示す。再生速度変換装置３００は、音声復号化部３０１と、音声再生速度変換部３０２と、映像再生速度変換部３０３と、映像復号化部３０４と、音声映像同期部３０５とを含む。再生速度変換装置３００は、音声映像同期部３０５を含むことを除いては、本発明の実施の形態１の再生速度変換装置１００と同じ構成である。
【０１１５】
再生速度変換装置３００は、圧縮符号化音声データの再生速度と圧縮符号化映像データの再生速度とを同じ再生速度に変換する。圧縮符号化音声データは、例えば、ＤＶＤ−Ｖｉｄｅｏで採用されているドルビーＡＣ３およびｄｔｓ、ＣＳデジタルで採用されているＭＰＥＧ１−ｌａｙｅｒＩＩ、ＢＳデジタルで採用されているＭＰＥＧ２−ＡＡＣ、ＤＶＤ−Ａｕｄｉｏで採用されているＭＬＰならびにインターネット上で普及しているＭＰ３（ＭＰＥＧ１−ｌａｙｅｒＩＩＩ）などの方式で圧縮符号化された音声データである。圧縮符号化映像データは、例えばＭＰＥＧ規格（ＭＰＥＧ１、ＭＰＥＧ２、ＭＰＥＧ４）に従う圧縮符号化映像データである。
【０１１６】
以下、再生速度変換装置３００が、圧縮符号化音声データの再生速度とＭＰＥＧ規格に従う圧縮符号化映像データの再生速度とを同じ再生速度に変換する場合を説明する。
【０１１７】
音声復号化部３０１には、圧縮符号化音声データが入力される。音声復号化部３０１は、この圧縮符号化音声データを圧縮符号化音声データを復号化するタイミングを示す音声復号タイミングデータに応答して復号化することにより、復号化音声データを音声再生速度変換部３０２に出力する。この音声復号タイミングデータは、音声映像同期部３０５から出力される。
【０１１８】
音声映像同期部３０５の機能は、後述する。
【０１１９】
音声再生速度変換部３０２には、音声復号化部３０１から出力された復号化音声データが入力される。ユーザがＮ１倍速の再生速度を要求する場合、ユーザが要求したＮ１倍速の再生速度の要求レベルを示す再生速度信号（第１の再生速度信号）が音声再生速度変換部３０２に入力される。音声再生速度変換部３０２は、この再生速度信号に応答して、この復号化音声データの再生速度をＮ１倍速の再生速度に変換すると共に、音声再生速度変換部３０２の再生速度を示す信号を音声映像同期部３０５に送信する。
【０１２０】
音声再生速度変換部３０２は、例えば、ＰＩＣＯＬＡ方式を用いて、音声データの再生速度を変換する。
【０１２１】
音声再生速度変換部３０２は、ＰＩＣＯＬＡ方式の代わりに、ＯＬＡ方式またはＳＯＬＡ方式を用いて、音声データの再生速度を変換してもよい。
【０１２２】
映像再生速度変換部３０３には、ＭＰＥＧ規格に従う圧縮符号化映像データが入力される。この圧縮符号化映像データには、特定の映像データが含まれている。この特定の映像データは、例えば、ＭＰＥＧ規格に従う差分映像データであるＢ−Ｐｉｃｔｕｒｅである。映像再生速度変換部３０３は、Ｂ−Ｐｉｃｔｕｒｅを間引くことによって、この圧縮符号化映像データの再生速度を変換する。映像再生速度変換部３０３の機能は、映像再生速度変換部１０３の機能と同一である。
【０１２３】
映像再生速度変換部３０３は、変換された再生速度を有する圧縮符号化映像データを映像復号化部３０４に出力する。
【０１２４】
映像復号化部３０４は、この圧縮符号化映像データを圧縮符号化映像データを復号化するタイミングを示す映像復号タイミングデータに応答して復号化し、復号化音声データを出力する。この映像復号タイミングデータは、音声映像同期部３０５から出力される。
【０１２５】
音声再生速度変換部が音声再生速度を変換する前は、音声タイムスタンプは、一定時間間隔で付されている。しかし、音声再生速度変換部が音声再生速度を変換した後は、音声タイムスタンプは、異なる時間間隔に付される。一般に、音声データは、部分的に圧縮・伸張され、均一に圧縮・伸張されるわけではないからである。ＰＩＣＯＬＡ方式、ＯＬＡ方式またはＳＯＬＡ方式の何れもがこれに該当する。音声再生速度を変換した後の音声データは、必ずしも一定速度で再生されているわけではなく、音声再生速度を変換した後の音声データを局所的に見れば音声再生速度が頻繁に変わっていることになる。音声再生速度を変換した後の音声データを大局的に見て、音声映像同期部は、映像データを再生するタイミングと音声データを再生するタイミングとを同期させる。
【０１２６】
以下、音声映像同期部３０５の機能を説明する。
【０１２７】
音声映像同期部３０５には、復号化音声データを再生する時刻を示す音声タイムスタンプと復号化映像データを再生する時刻を示す映像タイムスタンプとが入力される。
【０１２８】
音声映像同期部３０５は、この音声タイムスタンプとこの映像タイムスタンプとに応じて、復号化映像データを再生するタイミングと復号化音声データを再生するタイミングとを同期させる。例えば、復号化映像データが再生されるタイミングが復号化音声データが再生されるタイミングよりも遅れている場合、一定量の映像データをスキップすることによって、復号化映像データが再生されるタイミングを復号化音声データが再生されるタイミングに同期させることができる。例えば、復号化映像データが再生されるタイミングが復号化音声データが再生されるタイミングよりも進んでいる場合、一定量の映像データを繰り返して再生することによって、復号化映像データが再生されるタイミングを復号化音声データが再生されるタイミングに同期させることができる。
【０１２９】
音声映像同期部３０５には、音声再生速度変換部３０２の再生速度を示す信号が音声再生速度変換部３０２から送信される。
【０１３０】
音声映像同期部３０５は、音声タイムスタンプと音声再生速度変換部３０２の再生速度を示す信号とに応答して、音声復号タイミングデータを生成する。既に説明したように、音声復号化部３０１は、この音声復号タイミングデータに応答して圧縮符号化音声データを復号化する。
【０１３１】
音声映像同期部３０５は、映像タイムスタンプと音声再生速度変換部３０２の再生速度を示す信号とに応答して、映像復号タイミングデータを生成する。既に説明したように、映像復号化部３０４は、この映像復号タイミングデータに応答して圧縮符号化映像データを復号化する。
【０１３２】
なお、音声映像同期部３０５には、上述のように音声再生速度変換部３０２の再生速度を示す信号が音声再生速度変換部３０２から送信される代わりに、映像再生速度変換部３０３の再生速度を示す信号が映像再生速度変換部３０３から送信されてもよい。
【０１３３】
この場合、音声映像同期部３０５は、音声タイムスタンプと映像再生速度変換部３０３の再生速度を示す信号とに応答して、音声復号タイミングデータを生成する。既に説明したように、音声復号化部３０１は、この音声復号タイミングデータに応答して圧縮符号化音声データを復号化する。音声映像同期部３０５は、映像タイムスタンプと映像再生速度変換部３０３の再生速度を示す信号とに応答して、映像復号タイミングデータを生成する。既に説明したように、映像復号化部３０４は、この映像復号タイミングデータに応答して圧縮符号化映像データを復号化する。
【０１３４】
以上、音声映像同期部３０５の機能を説明した。
【０１３５】
以上のように、本発明の再生速度変換装置によれば、音声映像同期部は、復号化映像データを再生するタイミングと復号化音声データを再生するタイミングとを同期させる。これにより、要求レベルに応じた再生速度から低い所定のレベルに応じた再生速度へと再生速度が遷移する場合でも、映像データを再生するタイミングと音声データを再生するタイミングとを同期させることができる。その結果、要求レベルに応じた再生速度から低い所定のレベルに応じた再生速度へと再生速度が遷移する場合に、映像データを再生するタイミングと音声データを再生するタイミングとがずれることを防止できる。
【０１３６】
以上、再生速度変換装置３００が、圧縮符号化音声データの再生速度とＭＰＥＧ規格に従う圧縮符号化映像データの再生速度とを同じ再生速度に変換する場合を説明した。
【０１３７】
なお、圧縮符号化音声データと圧縮符号化映像データと音声タイムスタンプと映像タイムスタンプとは、データロード装置によって格納デバイスからロードされ得る。
【０１３８】
図４は、再生速度変換装置４００の構成を示す。再生速度変換装置４００の構成は、再生速度変換装置４００が格納デバイス４０６と、データロード装置４０７とをさらに含むことを除いて再生速度変換装置３００の構成と同一である。
【０１３９】
格納デバイス４０６には、圧縮符号化音声データとＭＰＥＧ規格に従う圧縮符号化映像データと音声タイムスタンプと映像タイムスタンプとが格納されている。
【０１４０】
データロード装置４０７は、この圧縮符号化音声データとこの圧縮符号化映像データと音声タイムスタンプと映像タイムスタンプとを格納デバイス４０６からロードする。
【０１４１】
音声復号化部４０１には、格納デバイス４０６からロードされた圧縮符号化音声データが入力される。
【０１４２】
映像再生速度変換部４０３には、格納デバイス４０６からロードされたＭＰＥＧ規格に従う圧縮符号化映像データが入力される。この圧縮符号化映像データには特定の映像データが含まれている。この特定の映像データは、例えば、ＭＰＥＧ規格に従う差分映像データであるＢ−Ｐｉｃｔｕｒｅである。
【０１４３】
音声映像同期部４０５は、格納デバイス４０６からロードされた音声タイムスタンプと映像タイムスタンプとが入力される。
【０１４４】
音声復号化部４０１の機能は、音声復号化部３０１の機能と同一である。映像復号化部４０４の機能は、映像復号化部３０４の機能と同一である。音声映像同期部４０５の機能は、音声映像同期部３０５の機能と同一である。音声再生速度変換部４０２の機能は、音声再生速度変換部４０２の再生速度を示す信号をデータロード装置４０７に送信することを除いて、音声再生速度変換部３０２と同一である。映像再生速度変換部４０３の機能は、映像再生速度変換部４０３の再生速度を示す信号をデータロード装置４０７に送信することを除いて、映像再生速度変換部４０３と同一である。
【０１４５】
データロード装置４０７には、音声再生速度変換部４０２から音声再生速度変換部４０２の再生速度を示す信号が送信される。データロード装置４０７は、復号化音声データの再生速度と圧縮符号化映像データの再生速度とを変換してもデータロード装置４０７から出力される圧縮符号化音声データと圧縮符号化映像データと音声タイムスタンプと映像タイムスタンプとが過不足することのないように、この信号に応じて、圧縮符号化音声データと圧縮符号化映像データと音声タイムスタンプと映像タイムスタンプとを格納デバイス４０６からロードする。
【０１４６】
再生速度変換装置が音声映像同期部を含む場合、データロード装置は、音声再生速度変換部の再生速度を示す信号に応じて、圧縮符号化音声データと圧縮符号化映像データと音声タイムスタンプと映像タイムスタンプとを格納デバイスからロードすることが好ましい。音声映像同期部は、音声再生速度変換部の再生速度を示す信号に応じて、復号化映像データを再生するタイミングと復号化音声データを再生するタイミングとを同期させるからである。
【０１４７】
なお、データロード装置４０７には、上述のように音声再生速度変換部４０２から音声再生速度変換部４０２の再生速度を示す信号が送信される代わりに、映像再生速度変換部４０３から映像再生速度変換部４０３の再生速度を示す信号が送信されてもよい。この場合も、データロード装置４０７は、データロード装置４０７から出力される圧縮符号化音声データと圧縮符号化映像データと音声タイムスタンプと映像タイムスタンプとが過不足することのないように、映像再生速度変換部４０３の再生速度を示す信号に応じて、圧縮符号化音声データと圧縮符号化映像データと音声タイムスタンプと映像タイムスタンプとを格納デバイス４０６からロードする。
【０１４８】
以上のように、本発明の再生速度変換装置によれば、データロード装置は、データロード装置から出力される圧縮符号化音声データと圧縮符号化映像データと音声タイムスタンプと映像タイムスタンプとが過不足することのないように、圧縮符号化音声データと圧縮符号化映像データと音声タイムスタンプと映像タイムスタンプとを格納デバイスからロードする。その結果、要求レベルに応じた再生速度から低い所定のレベルに応じた再生速度へと再生速度が遷移する場合でも、データロード装置から出力される圧縮符号化音声データと圧縮符号化映像データと音声タイムスタンプと映像タイムスタンプとが過不足することなく、データロード装置は、圧縮符号化音声データと圧縮符号化映像データと音声タイムスタンプと映像タイムスタンプとを格納デバイスからロードすることができる。
【０１４９】
なお、音声復号化部４０１、映像再生速度変換部４０３と、データロード装置４０７との間にネットワークが介在していてもよい。その場合、格納デバイス４０６は、例えば、送信局側のサーバの蓄積メディアである。
【０１５０】
図４の再生速度変換装置４００は、送信局側にあってもよい。
【０１５１】
格納デバイス４０６は、例えば、記録再生が可能な記録媒体、または再生のみ可能な記録媒体である。
【０１５２】
記録再生が可能な記録媒体は、例えば、ＣＤ−Ｒ、ＣＤ−ＲＷ、ＤＶＤ−ＲＡＭ、ＤＶＤ−Ｒ、ＤＶＤ−ＲＷ、ＤＶＤ＋ＲまたはＤＶＤ＋ＲＷである。
【０１５３】
再生のみ可能な記録媒体は、例えば、ＤＶＤ−Ｖｉｄｅｏ、ＣＤである。
【０１５４】
なお、データロード装置４０７は、デマルチプレクサを含んでもよい。圧縮符号化音声データと圧縮符号化映像データと音声タイムスタンプと映像タイムスタンプとが多重化された多重化データが格納デバイス４０６に格納されている場合、このデマルチプレクサは、この多重化データを圧縮符号化音声データと圧縮符号化映像データと音声タイムスタンプと映像タイムスタンプとに分離する。データロード装置４０７はこの圧縮符号化音声データを音声復号化部４０１に出力する。データロード装置４０７はこの圧縮符号化映像データを映像再生速度変換部４０３に出力する。データロード装置４０７はこの音声タイムスタンプとこの映像タイムスタンプとを音声映像同期部４０５に出力する。
【０１５５】
【発明の効果】
本発明の再生速度変換装置によれば、要求レベルに応じた再生速度変換が可能でないと判定された場合には、映像データの再生速度と音声データの再生速度とが要求レベルより低い所定のレベルに応じた再生速度に変換される。これにより、要求レベルに応じた再生速度変換が可能でない場合でも、映像データの再生速度と音声データの再生速度とが同じ再生速度に変換される。その結果、映像データの再生が音声データの再生に追いつかなくなることを防止することができる。
【０１５６】
本発明の再生速度変換装置によれば、データロード装置は、データロード装置から出力される圧縮符号化音声データと圧縮符号化映像データとが過不足することのないように、圧縮符号化音声データと圧縮符号化映像データとを格納デバイスからロードする。その結果、要求レベルに応じた再生速度から低い所定のレベルに応じた再生速度へと再生速度が遷移する場合でも、データロード装置から出力される圧縮符号化音声データと圧縮符号化映像データとが過不足することなく、データロード装置は、圧縮符号化音声データと圧縮符号化映像データとを格納デバイスからロードすることができる。
【０１５７】
本発明の再生速度変換装置によれば、音声映像同期部は、復号化映像データを再生するタイミングと復号化音声データを再生するタイミングとを同期させる。これにより、要求レベルに応じた再生速度から低い所定のレベルに応じた再生速度へと再生速度が遷移する場合でも、映像データを再生するタイミングと音声データを再生するタイミングとを同期させることができる。その結果、要求レベルに応じた再生速度から低い所定のレベルに応じた再生速度へと再生速度が遷移する場合に、映像データを再生するタイミングと音声データを再生するタイミングとがずれることを防止できる。
【０１５８】
本発明の再生速度変換装置によれば、データロード装置は、データロード装置から出力される圧縮符号化音声データと圧縮符号化映像データと音声タイムスタンプと映像タイムスタンプとが過不足することのないように、圧縮符号化音声データと圧縮符号化映像データと音声タイムスタンプと映像タイムスタンプとを格納デバイスからロードする。その結果、要求レベルに応じた再生速度から低い所定のレベルに応じた再生速度へと再生速度が遷移する場合でも、データロード装置から出力される圧縮符号化音声データと圧縮符号化映像データと音声タイムスタンプと映像タイムスタンプとが過不足することなく、データロード装置は、圧縮符号化音声データと圧縮符号化映像データと音声タイムスタンプと映像タイムスタンプとを格納デバイスからロードすることができる。
【図面の簡単な説明】
【図１】本発明の実施の形態１の再生速度変換装置１００の構成を示すブロック図
【図２】本発明の実施の形態１の再生速度変換装置２００の構成を示すブロック図
【図３】本発明の実施の形態２の再生速度変換装置３００の構成を示すブロック図
【図４】本発明の実施の形態２の再生速度変換装置４００の構成を示すブロック図
【図５】従来の再生速度変換装置５００の構成を示すブロック図
【図６】従来の他の再生速度変換装置６００の構成を示すブロック図
【図７】従来の他の再生速度変換装置７００の構成を示すブロック図
【図８】従来の他の再生速度変換装置８００の構成を示すブロック図
【符号の説明】
１００　再生速度変換装置
１０１　音声復号化部
１０２　音声再生速度変換部
１０３　映像再生速度変換部
１０４　映像復号化部
２０６　格納デバイス
２０７　データロード装置
３０５　音声映像同期部
【図１】
2004007495.tif 000003
【図２】
2004007495.tif 000004
【図３】
2004007495.tif 000005
【図４】
2004007495.tif 000006
【図５】
2004007495.tif 000007
【図６】
2004007495.tif 000008
【図７】
2004007495.tif 000009
【図８】
2004007495.tif 000010